(57)【要約】【課題】利用者が携行可能であって、事業者が予め記憶させておいたデータを携帯電話機に送信できる携帯電話機用充電器を提供すること。【解決手段】電気を蓄える蓄電部１０２と、データを記憶する記憶部１０３と、携帯電話機３へ給電し、データを携帯電話機３へ送信するための出力用コネクタ部１１と、携帯電話機３へ給電する蓄電部制御手段１０１ａと、データを携帯電話機３へ送信する記憶部制御手段１０１ｂと、からなる携帯電話機用充電器１。【選択図】図１
2009027261.tif 000002
【特許請求の範囲】
【請求項１】
携帯電話機に給電するための電気を蓄える蓄電部と、
前記携帯電話機に送信するためのデータを記憶する記憶部と、
前記携帯電話機に接続されて、前記蓄電部に蓄えられた電気を前記携帯電話機へ給電し、前記記憶部に記憶されたデータを前記携帯電話機へ送信するための出力用コネクタ部と、
前記出力用コネクタ部が前記携帯電話機に接続されたことを条件に、前記出力用コネクタ部を介して、前記蓄電部に蓄えられた電気を前記携帯電話機へ給電する蓄電部制御手段と、
前記出力用コネクタ部が前記携帯電話機に接続されたことを条件に、前記出力用コネクタ部を介して、前記記憶部に記憶されたデータを前記携帯電話機へ送信する記憶部制御手段と、
を備える、
ことを特徴とする携帯電話機用充電器。
【請求項２】
前記記憶部に記憶するデータは、前記携帯電話機に広告を出力させるデータである、
ことを特徴とする請求項１に記載の携帯電話機用充電器。
【請求項３】
前記記憶部に記憶するデータは、前記携帯電話機に所定の電子メールを所定の電子メールアドレス宛に送信させるデータである、
ことを特徴とする請求項１または２に記載の携帯電話機用充電器。
【請求項４】
前記携帯電話機用充電器は、
前記蓄電部は二次電池を含み、
充電器に接続されて、前記充電器から前記蓄電部へ給電するための電源入力用コネクタ部を備え、
前記蓄電部制御手段は、電源入力用コネクタ部を介して、前記充電器から給電される電気を前記蓄電部に充電する、
ことを特徴とする請求項１〜３のいずれかに記載の携帯電話機用充電器。
【請求項５】
前記携帯電話機用充電器は、
前記記憶部はデータを書き込み可能なメモリを含み、
データ書き込み器に接続されて、前記データ書き込み器から前記記憶部へデータを送信するためのデータ入力用コネクタ部を備え、
前記記憶部制御手段は、データ入力用コネクタ部を介して、前記データ書き込み器から送信されるデータを前記記憶部に書き込む、
ことを特徴とする請求項１〜４のいずれかに記載の携帯電話機用充電器。
【請求項６】
前記記憶部制御手段は、前記蓄電部制御手段が前記蓄電部に蓄えられた電気を前記携帯電話機へ給電し、かつ、前記携帯電話機が利用中でないと判定したことを条件に、前記出力用コネクタ部を介して、前記記憶部に記憶されたデータを前記携帯電話機へ送信する、
ことを特徴とする請求項１〜５のいずれかに記載の携帯電話機用充電器。
【請求項７】
前記携帯電話機用充電器は、
前記蓄電部に蓄えられた電気を給電可能な前記携帯電話機への取り付けが可能なストラップを取り付けるための取り付け手段を備える、
ことを特徴とする請求項１〜６のいずれかに記載の携帯電話機用充電器。
【発明の詳細な説明】
【技術分野】
【０００１】
本発明は、携帯電話機に接続して携帯電話機の内蔵電池を充電することができる携帯電話機用充電器に関する。
【背景技術】
【０００２】
携帯電話機には、主電源装置としてリチウムイオン電池などの二次電池が内蔵されている。これら二次電池の放電容量は、携帯電話機の利用や自然放電により失われていく。そのため、携帯電話機の利用者は、二次電池の放電容量を回復させるための充電を行う必要がある。特に携帯電話機は、災害時などの緊急時や、外出先で利用されることが多く、時間や場所を問わず充電できることが望まれている。
【０００３】
そこで、コンビニエンスストアや電気量販店などの事業者は、電源コンセントに接続して利用する携帯電話機用充電器を複数台設置しておき、利用者の携帯電話機を、これら携帯電話機用充電器に一定時間接続（充電）させることで、利用者から利用料金を得る充電サービスを提供している。
【０００４】
また、事業者がこれら充電サービスを無料もしくは安価で提供できるように、事業者が予め携帯電話機用充電器に記憶させておいた広告などのデータを、接続してきた携帯電話機に対して送信する携帯電話機用充電器が提案されている（例えば、特許文献１参照）。
【０００５】
一方、利用者が時間や場所を問わず所望の契機で充電できるように、利用者が携行可能で、乾電池などの一次電池を内蔵した携帯電話機用充電器が提案されている（例えば、特許文献２参照）。
【０００６】
【特許文献１】特開２００４−２０１２５６号公報（第１図）
【特許文献２】特開２００３−７０１７７号公報（第６図）
【発明の開示】
【発明が解決しようとする課題】
【０００７】
しかしながら、特許文献１にあっては、携帯電話機への充電が必要となる状況の多くが、利用者が携帯電話機を利用しているときであり、例えば、利用者が充電サービスの提供場所から離れた場所で携帯電話機を利用しているときには、携帯電話機を充電できない。このため、携帯電話機が必要であるにも関わらず利用できなくなってしまうという問題があった。
【０００８】
また、特許文献２にあっては、広告などのデータを接続された携帯電話機に対して送信できず、事業者は、携帯電話機用充電器を無料もしくは安価で利用者に提供することが難しいという問題があった。
【０００９】
本発明は、このような問題点に着目してなされたもので、利用者が携行可能であって、事業者が予め記憶させておいたデータを携帯電話機に送信できる携帯電話機用充電器を提供することを目的とする。
【課題を解決するための手段】
【００１０】
上記課題を解決するために、本発明の請求項１に記載の携帯電話機用充電器は、
携帯電話機に給電するための電気を蓄える蓄電部と、
前記携帯電話機に送信するためのデータを記憶する記憶部と、
前記携帯電話機に接続されて、前記蓄電部に蓄えられた電気を前記携帯電話機へ給電し、前記記憶部に記憶されたデータを前記携帯電話機へ送信するための出力用コネクタ部と、
前記出力用コネクタ部が前記携帯電話機に接続されたことを条件に、前記出力用コネクタ部を介して、前記蓄電部に蓄えられた電気を前記携帯電話機へ給電する蓄電部制御手段と、
前記出力用コネクタ部が前記携帯電話機に接続されたことを条件に、前記出力用コネクタ部を介して、前記記憶部に記憶されたデータを前記携帯電話機へ送信する記憶部制御手段と、
を備える、
ことを特徴としている。
この特徴によれば、利用者が携帯電話機に携帯電話機用充電器を接続したときには、時間と場所に関わらず、蓄電部に蓄えられた電気により携帯電話機を給電することができるとともに、予め記憶部に記憶されていたデータを携帯電話機に送信することができる。
【００１１】
本発明の請求項２に記載の携帯電話機用充電器は、請求項１に記載の携帯電話機用充電器であって、
前記記憶部に記憶するデータは、前記携帯電話機に広告を出力させるデータである、
ことを特徴としている。
この特徴によれば、利用者が携帯電話機に携帯電話機用充電器を接続したときには、予め記憶部に記憶されていた広告を携帯電話機に出力させることができる。
【００１２】
本発明の請求項３に記載の携帯電話機用充電器は、請求項１または２に記載の携帯電話機用充電器であって、
前記記憶部に記憶するデータは、前記携帯電話機に所定の電子メールを所定の電子メールアドレス宛に送信させるデータである、
ことを特徴としている。
この特徴によれば、利用者が携帯電話機に携帯電話機用充電器を接続したときには、予め記憶部に記憶されていた電子メールアドレス宛に、予め記憶されていた内容の電子メールを携帯電話機に送信させることができる。
【００１３】
本発明の請求項４に記載の携帯電話機用充電器は、請求項１〜３のいずれかに記載の携帯電話機用充電器であって、
前記携帯電話機用充電器は、
前記蓄電部は二次電池を含み、
充電器に接続されて、前記充電器から前記蓄電部へ給電するための電源入力用コネクタ部を備え、
前記蓄電部制御手段は、前記電源入力用コネクタ部が前記充電器に接続されたことを条件に、前記電源入力用コネクタ部を介して、前記充電器から給電される電気を前記蓄電部に充電する、
ことを特徴としている。
この特徴によれば、利用者が充電器に携帯電話機用充電器を接続したときには、蓄電部に含まれる二次電池を充電することができるので、１台の携帯電話機用充電器を用いて、携帯電話機を複数回充電することができる。
【００１４】
本発明の請求項５に記載の携帯電話機用充電器は、請求項１〜４のいずれかに記載の携帯電話機用充電器であって、
前記携帯電話機用充電器は、
前記記憶部はデータを書き込み可能なメモリを含み、
データ書き込み器に接続されて、前記データ書き込み器から前記記憶部へデータを送信するためのデータ入力用コネクタ部を備え、
前記記憶部制御手段は、前記データ入力用コネクタ部が前記充電器に接続されたことを条件に、前記データ入力用コネクタ部を介して、前記データ書き込み器から送信されるデータを前記記憶部に書き込む、
ことを特徴としている。
この特徴によれば、利用者がデータ書き込み器に携帯電話機用充電器を接続したときには、メモリに新たにデータを書き込むことができるので、１台の携帯電話機用充電器であっても、携帯電話機に異なるデータを送信することができる。例えば、携帯電話機に対して、異なる広告を出力させたり、異なる電子メールを送信させることができる。
【００１５】
本発明の請求項６に記載の携帯電話機用充電器は、請求項１〜５のいずれかに記載の携帯電話機用充電器であって、
前記記憶部制御手段は、前記蓄電部制御手段が前記蓄電部に蓄えられた電気を前記携帯電話機へ給電し、かつ、前記携帯電話機が利用中でないと判定したことを条件に、前記出力用コネクタ部を介して、前記記憶部に記憶されたデータを前記携帯電話機へ送信する、
ことを特徴としている。
この特徴によれば、携帯電話機の電池切れを心配している利用者が、携帯電話機に携帯電話機用充電器を接続して、給電しながら携帯電話機をすぐに利用したい、といった要望をもったときに、この要望を阻害することなく広告等のデータを携帯電話機に送信することができる。
【００１６】
本発明の請求項７に記載の携帯電話機用充電器は、請求項１〜６のいずれかに記載の携帯電話機用充電器であって、
前記携帯電話機用充電器は、
前記蓄電部に蓄えられた電気を給電可能な前記携帯電話機への取り付けが可能なストラップを取り付けるための取り付け手段を備える、
ことを特徴とする。
この特徴によれば、携帯電話機に取り付けられたストラップを、取り付け手段により携帯電話機用充電器に取り付けることで、携帯電話機用充電器を容易に携帯電話機と併せて携行することができる。
【００１７】
本発明の携帯電話機用充電システムは、
携帯電話機用充電器と、前記携帯電話機用充電器に接続されて、電気を前記携帯電話機用充電器へ給電するための充電器と、前記携帯電話機用充電器に接続されて、データを前記携帯電話機用充電器へ送信するためのデータ書き込み器と、からなる携帯電話機用充電システムであって、
前記携帯電話機用充電器は、
前記携帯電話機に給電するための電気が蓄えられる二次電池を含む蓄電部と、
前記携帯電話機に送信するためのデータを書き込み可能なメモリを含む記憶部と、
前記携帯電話機に接続されて、前記蓄電部に蓄えられた電気を前記携帯電話機へ給電し、前記記憶部に蓄えられたデータを前記携帯電話機へ送信するための出力用コネクタ部と、
データ書き込み器と一体の充電器に接続されて、前記充電器から前記蓄電部へ給電するとともに、該充電器から前記記憶部へ送信されてくるデータを受信するための入力用コネクタ部と、
前記蓄電部を制御する蓄電部制御手段と、
前記記憶部を制御する記憶部制御手段と、
を備え、
前記蓄電部制御手段は、
前記出力用コネクタ部が前記携帯電話機に接続されたことを条件に、前記出力用コネクタ部を介して、前記蓄電部に蓄えられた電気を前記携帯電話機へ給電する給電処理手段と、
前記入力用コネクタ部が前記充電器に接続されたことを条件に、前記入力用コネクタ部を介して、前記充電器から給電される電気を前記蓄電部に充電する充電処理手段と、
を含み、
前記記憶部制御手段は、
前記出力用コネクタ部が前記携帯電話機に接続されたことを条件に、前記出力用コネクタ部を介して、前記記憶部に記憶されたデータを前記携帯電話機へ送信するデータ送信処理手段と、
前記入力用コネクタ部が前記充電器に接続されたことを条件に、前記入力用コネクタ部を介して、前記充電器から送信されるデータを前記記憶部に書き込むデータ更新処理手段と、
を含み、
前記データ書き込み器は、
前記携帯電話機用充電器へ送信するためのデータを変更するためのデータ変更手段を備える、
ことを特徴としている。
この特徴によれば、データ書き込み器が携帯電話機用充電器へ送信するためのデータを変更することで、利用者が携帯電話機に携帯電話機用充電器を接続したときには、時間と場所に関わらず、蓄電部に蓄えられた電気により携帯電話機を給電することができるとともに、データ書き込み器において変更しておいたデータを携帯電話機に送信することができる。
【発明を実施するための最良の形態】
【００１８】
本発明の実施例を以下に説明する。
【実施例】
【００１９】
本発明の実施例を図面に基づいて説明すると、まず図１は、本発明の実施例における携帯電話機用充電器１の全体像を示す斜視図である。
【００２０】
本実施例の携帯電話機３は、図１に示すように、ボタン等からなる入力部３３、液晶からなる表示部３４、充電（電源の入力）やデータの入力を受け付けるための差し込みジャック３１、ストラップ４を取り付けるためのストラップ取り付け部３２、図示しない内蔵電池、から主に構成される通常の携帯電話機である。
【００２１】
携帯電話機用充電器１は、図１に示すように、携帯電話機３の差し込みジャック３１に接続するための出力用コネクタ部１１、後述する充電器２と接続して充電（電源の入力）やデータの入力を受け付けるための入力用コネクタ部１２、ストラップ４を取り付けるためのストラップ取り付け部１３、から構成される。
【００２２】
また、携帯電話機用充電器１は、後述するように二次電池からなる蓄電部１０２と、書き変え可能な不揮発性メモリである記憶部１０３を内蔵している。
【００２３】
ストラップ４は、両端がリング状になっている。このため、図１に示すように、１本のストラップ４を、携帯電話機用充電器１のストラップ取り付け部１３と携帯電話機３のストラップ取り付け部３２に取り付けることができる。
【００２４】
このように、ストラップ４を用いて携帯電話機用充電器１と携帯電話機３を併せて携行できるようになっている。
【００２５】
充電器２は、図２に示すように、携帯電話機用充電器１の入力用コネクタ部１２に接続するための充電器コネクタ部２１を備え、電源とデータ書き換え端末５に接続されている。充電器２は、電源を充電器コネクタ部２１を介して携帯電話機用充電器１に出力し、また、データ書き換え端末５から受信したデータを充電器コネクタ部２１を介して携帯電話機用充電器１に出力する。尚、電源は通常の家庭用電源である。
【００２６】
データ書き換え端末５は通常のコンピュータである。本発明の携帯電話機用充電器１、充電器２は、例えば、携帯電話機用充電器１を無料もしくは安価で利用者に配布した上で、充電器２をコンビニエンスストアや電気量販店等に設置して、携帯電話機用充電器１への充電サービスを提供しようとする事業者への販売を想定しており、データ書き換え端末５により事業者は、充電器２を介して利用者の携帯電話機３に送信するデータを任意に設定することができるようになっている。
【００２７】
図３（ａ）は、携帯電話機用充電器１の構成を示すブロック図である。
【００２８】
携帯電話機用充電器１は、二次電池からなる蓄電部１０２、書き変え可能な不揮発性メモリである記憶部１０３、携帯電話機３への電源の出力（給電）やデータの出力を行うための通信Ｉ／Ｆ１０４（出力用コネクタ部１１）、充電器からの電源の入力（充電）やデータの入力を受け付けるための通信Ｉ／Ｆ１０５（入力用コネクタ部１２）、蓄電部１０２に対する給電処理や充電処理を行うための蓄電部制御部１０１ａ、記憶部１０３に対するデータ受信処理やデータ受信送信処理を行うための記憶部制御部１０１ｂ、から構成される。
【００２９】
つまり、蓄電部制御部１０１ａは本発明の蓄電部制御手段を構成し、記憶部制御部１０１ｂは本発明の記憶部制御手段を構成している。
【００３０】
ここで、蓄電部制御部１０１ａ、記憶部制御部１０１ｂは、いずれもＲＡＭ（Ramdom Access Memory）やＲＯＭ（Read Only Memory）やＣＰＵからなる一般的なマイコンである。
【００３１】
尚、蓄電部制御部１０１ａと記憶部制御部１０１ｂを、１体の制御部として構成しても良い。この場合には、図３（ｂ）に示すように、蓄電部制御部１０１ａと記憶部制御部１０１ｂではなく、制御部１０１とすれば良い。具体的には、蓄電部制御部１０１ａ、記憶部制御部１０１ｂを個別に用意した場合よりも、高性能のＲＡＭやＲＯＭやＣＰＵからなるマイコンとすれば良い。特に、ＲＯＭには、蓄電部制御部１０１ａのＲＯＭの記憶内容、及び、記憶部制御部１０１ｂのＲＯＭの記憶内容の双方を記憶させれば良い。
【００３２】
また、通信Ｉ／Ｆ１０４は、前述の出力用コネクタ部１１に接続されており、通信Ｉ／Ｆ１０５は、前述の入力用コネクタ部１２に接続されている。
【００３３】
図４（ａ）は、携帯電話機用充電器１を携帯電話機３に接続したときに、蓄電部制御部１０１ａと記憶部制御部１０１ｂで実施される給電処理を示すフローチャートである。
【００３４】
蓄電部制御部１０１ａが、出力用コネクタ部１１への携帯電話機３の接続を検知すると、Ｓａ１のステップが実行されて、蓄電部制御部１０１ａは、蓄電部１０２に蓄えられている電気を、出力用コネクタ部１１を介して携帯電話機３に給電する。給電終了後、蓄電部制御部１０１ａは記憶部制御部１０１ｂに終了した旨のデータ（信号）を送信し、Ｓａ２のステップに進む。
【００３５】
尚、データ送信の開始を給電終了後とせずに、出力用コネクタ部１１への携帯電話機３の接続を検知してから所定時間が経過した後（例えば、１分後）としても良い。
【００３６】
Ｓａ２のステップにおいて、記憶部制御部１０１ｂは、記憶部１０３に蓄えられているデータを、出力用コネクタ部１１を介して携帯電話機３に送信する。
【００３７】
尚、出力用コネクタ部１１への携帯電話機３の接続を検知した後、給電終了を待たずに、Ｓａ１のステップとＳａ２のステップを同時に実行しても良い。
【００３８】
ここで、記憶部１０３に蓄えられているデータについて説明すると、記憶部１０３に蓄えられているデータは、携帯電話機３に対して、広告を表示させたり、メールを送信させるためのデータであり、携帯電話機３を動作させるためのコマンドデータとなっている。このコマンドデータはテキストデータであり、画像データや音声データに比べて容量が小さく、このため、携帯電話機用充電器１から携帯電話機３への送信に際しての、消費電力と所要時間を低減できる。
【００３９】
図４（ａ）に示す給電処理における携帯電話機３側での動作について、図５を参照して説明する。尚、図５の例においては、Ｓａ１のステップとＳａ２のステップを同時に実行するものとする。
【００４０】
まず、携帯電話機用充電器１を携帯電話機３に接続したあとに実施されるＳａ１のステップにおいて、携帯電話機３では、図５（ａ）に示すように、充電中である旨の表示がなされる。
【００４１】
次に、Ｓａ２のステップにおいて携帯電話機３に送信されるデータが、所定のホームページ（例えば、http://aaa.bbb.ccc）に掲載された広告ページに接続させるためのデータであった場合には、このデータを受信した携帯電話機３において、図５（ｂ）に示すように、Webブラウザが起動されて、所定のホームページ（例えば、http://aaa.bbb.ccc）に接続される。
【００４２】
結果として、図５（ｃ）に示すような広告ページ（例えば、割引クーポンページ）が表示される。
【００４３】
尚、所定のホームページ（例えば、http://aaa.bbb.ccc）に掲載された広告ページに接続するようにしているが、所定のホームページ（例えば、http://aaa.bbb.ccc）のアドレスを携帯電話機３のいわゆるお気に入り（ブックマーク）に登録するようにしても良い。
【００４４】
また、Ｓａ２のステップにおいて携帯電話機３に送信されるデータが、所定の電子メールアドレスに、所定の内容（空）の電子メールを送信させるためのデータであった場合には、このデータを受信した携帯電話機３において、図６（ａ）に示すように、電子メールプログラムが起動されて、所定のメールアドレスに電子メール（空メール）が送信される。この電子メール（空メール）には、携帯電話機３の所有者である利用者の電子メールアドレスが送信者の電子メールアドレスとして含まれている。
【００４５】
これら所定のメールアドレス宛ての電子メール（空メール）を受信する電子メール用サーバコンピュータは、電子メール（空メール）を受信すると、送信者の電子メールアドレス、すなわち携帯電話機３の利用者に対して広告メール（例えば、割引クーポンメール）を送信する。
【００４６】
結果として、広告メールが図６（ｂ）に示すように受信されて、図６（ｃ）に示すように表示される。
【００４７】
図４（ｂ）は、携帯電話機用充電器１を充電器２に接続したときに、蓄電部制御部１０１ａと記憶部制御部１０１ｂで実施される充電処理を示すフローチャートである。
【００４８】
蓄電部制御部１０１ａが、入力用コネクタ部１２への充電器２の接続を検知すると、Ｓｂ１のステップが実行されて、蓄電部制御部１０１ａは、蓄電部１０２に蓄えられている電気を、入力用コネクタ部１２を介して充電器２から供給される電気により充電する。充電終了後、蓄電部制御部１０１ａは記憶部制御部１０１ｂに終了した旨のデータ（信号）を送信し、Ｓｂ２のステップに進む。
【００４９】
ここで、充電器２から供給される電気とは、図２に示すように電源から供給される電気である。
【００５０】
尚、データ受信の開始を充電終了後とせずに、入力用コネクタ部１２への充電器２の接続を検知してから所定時間が経過した後（例えば、１分後）としても良い。
【００５１】
Ｓｂ２のステップにおいて、記憶部制御部１０１ｂは、記憶部１０３に蓄えられているデータを、入力用コネクタ部１２を介して充電器２から受信されるデータにより更新する。
【００５２】
ここで、充電器２からから受信されるデータとは、図２に示すようにデータ書き換え端末５により、予め設定されて、充電器２に記憶されていたデータである。このデータが、前述したように、Ｓａ２のステップにおいて携帯電話機３に送信されるデータである。
【００５３】
尚、入力用コネクタ部１２への充電器２の接続を検知した後、充電終了を待たずに、Ｓｂ１のステップとＳｂ２のステップを同時に実行しても良い。
【００５４】
以上説明したように、図１に示すように、ストラップ４を用いて携帯電話機用充電器１と携帯電話機３を併せて携行できる。
【００５５】
また、図２、図４（ｂ）に示すように、携帯電話機用充電器１を充電器２に接続して携帯電話機用充電器１の蓄電部１０２を充電したり、データ書き換え端末５により充電器２に設定したデータを、特には、充電器２を設置することで充電サービスを提供する事業者が設定した広告データを、携帯電話機用充電器１の記憶部１０３に書き込んだりできるようになっている。
【００５６】
また、図４（ａ）、図５に示すように、携帯電話機用充電器１を携帯電話機３に接続して携帯電話機３の内蔵電池を充電することに加え、携帯電話機用充電器１の記憶部１０３に書き込んだデータを携帯電話機３に送信できて、広告ページに接続させたり、広告メールを受信させたりできるようになっている。
【００５７】
ここで、携帯電話機３の電源が切られている状態や、携帯電話機３が完全に電池切れとなった状態で、携帯電話機用充電器１を携帯電話機３に接続したときの動作について説明する。
【００５８】
本実施例の携帯電話機用充電器１の構成によれば、携帯電話機３はデータを受け付ける状態ではないので、携帯電話機用充電器１は給電のみを行う。
【００５９】
一方、本実施例の変形例における携帯電話機用充電器１の構成によれば、携帯電話機用充電器１は、携帯電話機３への給電を開始した後に携帯電話機３の電源を入れさせるためのデータを送信するようになっている。このようにすれば、携帯電話機３がデータを受け付ける状態ではなくても、携帯電話機用充電器１が携帯電話機３に給電したことにより、携帯電話機３は電源を入れるのに十分な電気を得るので、携帯電話機３を入れることができる。そして、電源を入れられた携帯電話機３は、携帯電話機用充電器１からデータを受け付けることができる。
【００６０】
すなわち、本実施例の変形例によれば、電源が切られている状態や携帯電話機３が完全に電池切れとなった状態であっても、携帯電話機３に広告を提供できる。
【００６１】
以上、本実施例によれば、利用者が携帯電話機３に携帯電話機用充電器１を接続したときには、時間と場所に関わらず、蓄電部１０２に蓄えられた電気が携帯電話機３に給電されるとともに、予め記憶部１０３に記憶されていたデータが携帯電話機３に送信される。
【００６２】
すなわち、利用者が携帯電話機３に携帯電話機用充電器１を接続することにより、例えば広告等のデータが送信されるので、利用者に確実に提供できる。
【００６３】
また、本実施例によれば、利用者が携帯電話機３に携帯電話機用充電器１を接続したときには、予め記憶部１０３に記憶されていた広告（図５（ｃ）、割引クーポンページ等）を携帯電話機に出力させることができる。
【００６４】
また、本実施例によれば、利用者が携帯電話機３に携帯電話機用充電器１を接続したときには、予め記憶部１０３に記憶されていた電子メールアドレス宛に、予め記憶されていた内容の電子メール（図６（ａ）、空メール）を携帯電話機３に送信させることができる。
【００６５】
また、本実施例によれば、利用者が充電器２に携帯電話機用充電器１を接続したときには、蓄電部１０２に含まれる二次電池を充電することができるので、１台の携帯電話機用充電器１を用いて、携帯電話機３を複数回充電することができる。
【００６６】
また、本実施例によれば、利用者がデータ書き込み器（データ書き換え端末５）に携帯電話機用充電器１を接続したときには、メモリ（記憶部１０３）に新たにデータを書き込むことができるので、１台の携帯電話機用充電器１であっても、携帯電話機３に異なるデータを送信することができる。
【００６７】
例えば、利用者が携帯電話機用充電器１を充電しにくる毎に、例えば、新しい広告ページのアドレスに接続させるためのデータや、新しい電子メールアドレス宛に電子メールを送信させるためのデータを提供できる。
【００６８】
また、本実施例によれば、利用者がデータ書き込み器（データ書き換え端末５）と一体に形成された充電器２に携帯電話機用充電器１を接続したときには、この１回の接続により、蓄電部１０２に含まれる二次電池を充電することとともに、メモリ（記憶部１０３）に新たにデータを書き込むこともできる。このため、１台の携帯電話機用充電器１を用いて、携帯電話機３を複数回充電することができる。また、１台の携帯電話機用充電器１であっても、携帯電話機３に異なるデータを送信することができる。
【００６９】
例えば、利用者が携帯電話機用充電器１を充電しにくる毎に、例えば、新しい広告ページのアドレスに接続させるためのデータや、新しい電子メールアドレス宛に電子メールを送信させるためのデータを提供できる。
【００７０】
また、本実施例によれば、携帯電話機３に取り付けられたストラップ４を、取り付け手段（ストラップ取り付け部１３）により携帯電話機用充電器１に取り付けることで、携帯電話機用充電器１を容易に携帯電話機３と併せて携行することができる。
【００７１】
また、本実施例によれば、データ書き込み器（データ書き換え端末５）が携帯電話機用充電器１へ送信するためのデータを変更することで、利用者が携帯電話機３に携帯電話機用充電器１を接続したときには、時間と場所に関わらず、蓄電部１０２に蓄えられた電気により携帯電話機３を給電することができるとともに、データ書き込み器（データ書き換え端末５）において変更しておいたデータを携帯電話機３に送信することができる。
【００７２】
以上、本発明の実施例を図面により説明してきたが、具体的な構成はこれら実施例に限られるものではなく、本発明の要旨を逸脱しない範囲における変更や追加があっても本発明に含まれる。
【００７３】
例えば、前記実施例では、図４（ａ）の給電処理に示すように、Ｓａ１のステップにおいて給電が終了したことを条件に、Ｓａ２のステップのデータ送信を行う構成としているが、本発明はこれに限定されるものではなく、出力用コネクタ部１１への携帯電話機３の接続を検知した後、携帯電話機３が利用中でないと判定したことを条件に、Ｓａ２のステップに進んでも良い。
【００７４】
携帯電話機３が利用中でないと判定する条件は、携帯電話機３が通話中でないこと、携帯電話機３がパケット通信を行っていないこと、入力部３３への入力が一定時間ないこと、のうちいずれか１以上の状態を確認できたことを条件に判定すれば良い。また、これら携帯電話機３の状態の確認が、携帯電話機用充電器１において不可能な場合には、携帯電話機用充電器１において、給電を開始してから、所定時間（例えば、３分間）が経過したことを条件に、利用中でないと判定すれば良い。
【００７５】
この構成は本発明の請求項６に該当し、この構成によれば、携帯電話機３の電池切れを心配している利用者が、携帯電話機３に携帯電話機用充電器１を接続して、給電しながら携帯電話機３をすぐに利用したい、といった要望をもったときに、この要望を阻害することがないように給電を優先して行い、給電後に広告等のデータを携帯電話機３に確実に送信することができる。
【００７６】
また、前記実施例では、携帯電話機用充電器１に蓄電部１０２と記憶部１０３を設けて、携帯電話機３への充電とデータの送信の双方をできるようにしているが、どちらか一方でも良い。
【００７７】
また、前記実施例では、携帯電話機用充電器１の蓄電部１０２を、二次電池とすることで充電できるようにしているが、乾電池などの一次電池としても良い。
【００７８】
また、前記実施例では、携帯電話機用充電器１の記憶部１０３を書き換え可能な不揮発性メモリとしているが、書き換え不可能な不揮発性メモリとしても良い。あるいは１度だけ書き込み可能な不揮発性メモリとしても良い。
【００７９】
また、前記実施例では、携帯電話機用充電器１にストラップ取り付け部１３を設け、ストラップ４により携帯電話機３と併せて携行できるようにしているが、ストラップ取り付け部１３を設けなくても良いし、あるいは、ストラップ以外の取り付け手段（例えば、ホルダー等）にて取り付けても良い。
【００８０】
また、前記実施例では、携帯電話機用充電器１の記憶部１０３に記憶されるデータ、つまり携帯電話機に送信するためのデータとして、携帯電話機３を動作させるためのテキストデータ（コマンドデータ）が適用されていたが、このデータはテキストデータに限定されるものではなく、例えば携帯電話機３に画像広告を表示するためのコマンドデータや、実際に表示する画像データ等であってもよい。
【００８１】
また、前記実施例では、図４（ａ）のＳａ２のステップにおいて携帯電話機３に送信されるデータとして、言い換えると、データ書き換え端末５により充電器２に設定するデータとして、所定のホームページに接続させるデータと、所定の電子メールアドレスに所定の電子メールを送信させるデータの２種類を例示しているが、本発明はこれに限定されるものではなく、所定の電話番号に電話をかけさせるデータや、所定の電話番号にショートメッセージを送信させるデータなどでも良い。
【００８２】
また、データは、携帯電話機３に携帯電話機用充電器１を接続した後に、直ちに通信を開始させるデータに限らず、携帯電話機３に携帯電話機用充電器１を接続すると、予め携帯電話機用充電器１に記憶しておいた広告データを携帯電話機用充電器１に出力させた後に、利用者の操作に応じて、通信を開始させるデータであっても良い。
【００８３】
具体的には、利用者が携帯電話機３に携帯電話機用充電器１を接続すると、携帯電話機３には、図７（ａ）に示すように、充電中である旨の表示がなされる。
【００８４】
次に、図７（ｂ）に示すように、Webブラウザが起動されて、所定の広告ページが表示される。広告ページの内容は、携帯電話機用充電器１から携帯電話機３に送信されるデータに含まれている。すなわち、この広告ページも、データ書き換え端末５により充電器２に設定されるデータの一部である。
【００８５】
ここで、利用者が、所定の広告ページを構成するリンク部分（図７（ｂ）中の「コチラ」の文字）の選択操作を行うと、図７（ｃ）に示すように、選択されたリンクに対応付けられた所定のホームページ（例えば、http://aaa.bbb.ccc）に接続されて、図７（ｄ）に示すような広告ページ（例えば、割引クーポンページ）が表示される。
【００８６】
また、利用者が、所定の広告ページを構成するリンク部分（図７（ｂ）中の「コチラ」の文字）の選択操作を行わなければ、例えば、直ちに所定の広告ページを閉じる操作を行った場合には、通信が行われることがない。
【００８７】
尚、所定の広告ページを構成するリンク部分（図７（ｂ）中の「コチラ」の文字）の選択操作を行うと、図５（ｂ）に示すように、電子メールプログラムが起動されて、選択されたリンクに対応付けられた所定のメールアドレスに電子メール（空メール）が送信されるようにしても良い。
【００８８】
また、データは、広告に限らず、充電器２を設置して充電サービスを提供する事業者が適宜に設定すれば良い。例えば、災害時においては、災害用伝言板ページのアドレスとしても良いし、あるいは、災害用伝言ダイヤル等の電話番号（録音や再生のための電話番号等を含む）に電話をかけさせるデータであってもよい。
【００８９】
特に、災害時の用途において説明する。災害時においては、携帯電話機３は携帯電話網への接続が困難になる。そこで、携帯電話機用充電器１に、短距離もしくは中距離の無線通信が可能な小型の通信部をさらに備える構成とする。これにより、利用者が、災害時に短距離もしくは中距離の通信を、携帯電話網を用いずにできるようにすることができる。例えば、携帯電話機用充電器１を、携帯電話機３と併せて普段から携行していれば、出口のない空間やがれきに閉じ込められたなど、緊急時に効果的に利用することができる。短距離もしくは中距離の無線通信が可能な小型の通信部としては、例えば、ZigBee（登録商標）という家電向けの短距離無線通信規格に準拠した機器が好適に利用できる。
【図面の簡単な説明】
【００９０】
【図１】は本発明の実施例における携帯電話機用充電器の全体像を示す斜視図である。
【図２】は本発明の実施例における充電器の全体像を示す斜視図である。
【図３】（ａ）は本発明の実施例における携帯電話機用充電器の全体像を示すブロック図であり、（ｂ）は本発明の実施例における変形例としての携帯電話機用充電器の全体像を示すブロック図である。
【図４】（ａ）は本発明の実施例における給電処理の流れを示すフローチャートであり、（ｂ）は本発明の実施例における充電処理の流れを示すフローチャートである。
【図５】（ａ）〜（ｃ）は本発明の実施例における給電処理の携帯電話機側の動作を示す図である。
【図６】（ａ）〜（ｃ）は本発明の実施例における給電処理の携帯電話機側の動作を示す図である。
【図７】（ａ）〜（ｄ）は本発明の変形例における給電処理の携帯電話機側の動作を示す図である。
【符号の説明】
【００９１】
１                  携帯電話機用充電器
２                  充電器
３                  携帯電話機
４                  ストラップ
５                  データ書き換え端末
１１                出力用コネクタ部
１２                入力用コネクタ部
１３                ストラップ取り付け部
１０１ａ            蓄電部制御部（蓄電部制御手段）
１０１ｂ            記憶部制御部（記憶部制御手段）
１０２              蓄電部
１０３              記憶部
１０４              通信Ｉ／Ｆ（出力用コネクタ部）
１０５              通信Ｉ／Ｆ（入力用コネクタ部）
【図１】
2009027261.tif 000003
【図２】
2009027261.tif 000004
【図３】
2009027261.tif 000005
【図４】
2009027261.tif 000006
【図５】
2009027261.tif 000007
【図６】
2009027261.tif 000008
【図７】
2009027261.tif 000009